(57)【要約】【課題】キャビネットの厚さを厚くすることなく、金属フレームと樹脂との接合力を向上させる。【解決手段】周縁部が折り曲げられた折曲部５を有する金属フレーム４がインサート成形された正面側キャビネットを設ける。この折曲部５を、所定の間隔をあけて基端側が先端側よりも幅が狭くなるように切欠形成された突起部６を互い違いに幅方向反対側に折り曲げて形成する。【選択図】図１
2014103541.tif 000002
【特許請求の範囲】
【請求項１】
周縁部が折り曲げられた折曲部を有する金属フレームがインサート成形されたキャビネットを備え、
上記折曲部は、所定の間隔をあけて基端側が先端側よりも幅が狭くなるように切欠形成された突起部が互い違いに幅方向反対側に折り曲げられることで形成されている
ことを特徴とする携帯端末。
【請求項２】
請求項１に記載の携帯端末において、
上記突起部の先端部はさらに水平に折り曲げられ、該突起部が並ぶ方向から見たときに、先端部の大部分が重なり合っている
ことを特徴とする携帯端末。
【請求項３】
請求項１又は２に記載の携帯端末において、
上記キャビネットには、上記金属フレームに囲まれるように矩形板状の表示ディスプレイが収容され、
上記折曲部は、上記表示ディスプレイの長手方向に沿って形成されている
ことを特徴とする携帯端末。
【発明の詳細な説明】
【技術分野】
【０００１】
本発明は、金属フレームがインサート成形されたキャビネットを備えた携帯端末に関するものである。
【背景技術】
【０００２】
従来より、表示ディスプレイを収容するキャビネットに剛性部材として金属フレームをインサート成形することは知られている（例えば、特許文献１参照）。この金属フレームの樹脂で覆われる両端は、曲げ加工が施されている。
【先行技術文献】
【特許文献】
【０００３】
【特許文献１】特開２０１０−７３８３３号公報
【発明の概要】
【発明が解決しようとする課題】
【０００４】
しかしながら、上記特許文献１のような曲げ加工では、曲げ加工部分の高さを低くしようとすると、金属フレームと樹脂との接合強度が十分に確保できないので、キャビネットの厚さを薄くすることができないという問題があった。
【０００５】
本発明は、かかる点に鑑みてなされたものであり、その目的とするところは、キャビネットの厚さを厚くすることなく、金属フレームと樹脂との接合力を向上させることにある。
【課題を解決するための手段】
【０００６】
上記の目的を達成するために、この発明では、金属フレームにおいて、樹脂が食い付きやすい形状をした突起部を交互に折り曲げた。
【０００７】
具体的には、第１の発明では、
周縁部が折り曲げられた折曲部を有する金属フレームがインサート成形されたキャビネットを備え、
上記折曲部は、所定の間隔をあけて基端側が先端側よりも幅が狭くなるように切欠形成された突起部が互い違いに幅方向反対側に折り曲げられることで形成されている。
【０００８】
上記の構成によると、突起部の基端側が先端側よりも幅が狭くなっているので、成形時に流れ込んだ樹脂内に突起部の傾斜した側辺が引っ掛かる。しかも、突起部が互い違いに幅方向反対側に折り曲げられているので、突起部が樹脂に対しキャビネットの厚さ方向に食い付くように成形される。また、突起部が間隔をあけて設けられているので、突起部間に樹脂が流れ込み、樹脂の強度を保つために突起部の先端からの樹脂の厚さを厚く確保しなくてもよい。このため、キャビネットの厚さを厚くすることなく、樹脂と金属フレームとが確実に接合される。
【発明の効果】
【０００９】
以上説明したように、本発明によれば、インサート成形される金属フレームにおいて、所定の間隔をあけて基端側が先端側よりも幅が狭くなるように突起部を切欠形成し、この突起部を互い違いに幅方向反対側に折り曲げたことにより、キャビネットの厚さを厚くすることなく、金属フレームと樹脂との接合力を向上させることができる。
【図面の簡単な説明】
【００１０】
【図１】本発明の実施形態に係る金属フレームを示す斜視図である。
【図２】正面側キャビネットを正面側から見た斜視図である。
【図３】図１のIII部拡大斜視図である。
【図４】変形例に係る図３相当図である。
【図５】図４のＶ方向矢視図である。
【発明を実施するための形態】
【００１１】
以下、本発明の実施形態を図面に基づいて説明する。
【００１２】
図１は、本発明の実施形態に係る金属フレームを示す斜視図である。図２は、本発明の実施形態の携帯端末としての携帯電話機の正面側キャビネットを示す斜視図である。図３は、図１のIII部拡大斜視図である。なお、詳細は図示しないが、例えば、正面側キャビネット３は、携帯電話機の正面側に設けられ、タッチパネルを有する矩形板状の液晶ディスプレイなどの表示ディスプレイを収容している。
【００１３】
正面側キャビネット３には、周縁部が折り曲げられた折曲部５を有する金属フレーム４がインサート成形されている。金属フレーム４は、例えば、ステンレス鋼板よりなる。折曲部５は、表示ディスプレイの長手方向に沿って形成され、インサート成形時にその全てが溶融樹脂によって覆われ、露出していない。
【００１４】
折曲部５は、所定の間隔をあけて基端側が先端側よりも幅が狭くなるように切欠形成された突起部６が互い違いに幅方向反対側に折り曲げられることで形成されている。具体的には、図３に示すように、突起部６は、基端側の辺が先端側の辺よりも短く、先端に向かって互いに広がる一対の側辺６ａを有する台形となっている。突起部６の形状は、全て同じ形状をしていなくてもよい。突起部６の幅方向（左右方向）への折り曲げ角度は、突起部６と樹脂との引っ掛かりを保つことができる角度で、正面側キャビネット３の樹脂部分の厚さを厚くしないように最小限にするとよい。
【００１５】
−実施形態の効果−
（１）このように、突起部６の基端側が先端側よりも幅が狭くなっているので、成形時に流れ込んだ樹脂内に突起部６の傾斜した側辺６ａが引っ掛かる。しかも、突起部６が互い違いに幅方向反対側に折り曲げられているので、突起部６が樹脂に対し正面側キャビネット３の厚さ方向に食い付くように成形される。また、突起部６が間隔をあけて設けられているので、突起部６間に樹脂が流れ込み、樹脂の強度を保つために突起部６の先端からの樹脂の厚さを厚く確保しなくてもよい。このため、正面側キャビネット３の厚さを厚くすることなく、樹脂と金属フレーム４とが確実に接合される。
【００１６】
（３）正面側キャビネット３には、金属フレーム４に囲まれるように矩形板状の表示ディスプレイが収容され、折曲部５は、表示ディスプレイの長手方向に沿って形成されている。この構成によると、長手方向に延びる樹脂部分の幅が必要以上に広がらないので、表示ディスプレイの大きさを大きく保つことができる。
【００１７】
したがって、本実施形態に係る携帯端末によると、インサート成形される金属フレーム４において、所定の間隔をあけて基端側が先端側よりも幅が狭くなるように突起部６を切欠形成し、この突起部６を互い違いに幅方向反対側に折り曲げたことにより、正面側キャビネット３の厚さを厚くすることなく、金属フレーム４と樹脂との接合力を向上させることができる。
【００１８】
−実施形態の変形例−
図４は、本実施形態の変形例に係る図３相当図であり、図５は、図４のＶ方向矢視図である。本変形例では、突起部１０６の形状が異なる点で上記実施形態と異なる。なお、図１〜図３と同じ部分については同じ符号を付してその詳細な説明は省略する。
【００１９】
本変形例の金属フレーム１０４の折曲部１０５では、突起部１０６は、上記実施形態と同様に傾斜した側辺１０６ａを有し、さらに先端部１０６ｂは、水平に折り曲げられている。先端部１０６ｂの折り曲げ方向が、突起部１０６の折り曲げ方向と反対側となっているので、図５のように、これら突起部１０６が並ぶ方向（上下方向）から見たときに、先端部１０６ｂの大部分が重なり合っている。重なり量は、大きいほど樹脂部分の厚さを厚くしないという点で有利であるが、必ずしも全てが重なっていなくてもよい。
【００２０】
（２）本変形例によると、先端部１０６ｂが水平に折り曲げられることで、正面側キャビネット３の厚さを厚くすることなく、樹脂と金属フレーム１０４との厚さ方向の接合強度が上記実施形態に比べてさらに向上する。しかも、突起部１０６が並ぶ方向から見て先端部１０６ｂの大部分が重なり合っているので、並んだ突起部が垂直で先端部を幅方向に互い違いに折り曲げる場合に比べ、正面側キャビネット３の突起部１０６を覆う樹脂部分の幅が広がらない。このため、表示ディスプレイの大きさを大きく保つことができる。
【００２１】
（その他の実施形態）
本発明は、上記実施形態について、以下のような構成としてもよい。
【００２２】
すなわち、上記実施形態では、突起部６は、傾斜した一対の側辺６ａを有する台形としているが、これに限定されない。側辺６ａは、直線状ではなく、曲線状でもよい。
【００２３】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２４】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２５】
３      正面側キャビネット（キャビネット）
４      金属フレーム
５      折曲部
６      突起部
６ａ    側辺
１０４      金属フレーム
１０５      折曲部
１０６      突起部
１０６ａ    側辺
１０６ｂ    先端部
【図１】
2014103541.tif 000003
【図２】
2014103541.tif 000004
【図３】
2014103541.tif 000005
【図４】
2014103541.tif 000006
【図５】
2014103541.tif 000007